(57)【要約】【課題】  手間を掛けずに設置撤去作業を実施できると共に、全体的なコスト低減を図れるようにする。【解決手段】  既存屋根Ｒの上方に屋根改修作業空間Ｖを確保した状態で既存屋根Ｒを覆う仮設屋根部３を設け、仮設屋根部３の支持スパン両端部を支持する支持部４を各別に設けてある屋根改修用仮設構造物において、仮設屋根部３を支持スパン方向に分割した複数の分割屋根部材３Ａで構成し、各分割屋根部材３Ａの内の少なくとも一つに、既存屋根Ｒに当接して荷重を伝達自在な接地部１０を設けてある。【選択図】        図１
2005120736.tif 000002
【特許請求の範囲】
【請求項１】
既存屋根の上方に屋根改修作業空間を確保した状態で前記既存屋根を覆う仮設屋根部を設け、前記仮設屋根部の支持スパン両端部を支持する支持部を各別に設けてある屋根改修用仮設構造物であって、
前記仮設屋根部を支持スパン方向に分割した複数の分割屋根部材で構成し、各分割屋根部材の内の少なくとも一つに、前記既存屋根に当接して荷重を伝達自在な接地部を設けてある屋根改修用仮設構造物。
【請求項２】
前記接地部は、前記既存屋根の構造部材上に接地できる配置状態で前記分割屋根部材に設けられている請求項１に記載の屋根改修用仮設構造物。
【請求項３】
前記接地部は、作業足場を兼用している請求項１又は２に記載の屋根改修用仮設構造物。
【請求項４】
前記分割屋根部材は、トラス構造である請求項１〜３の何れか一項に記載の屋根改修用仮設構造物。
【発明の詳細な説明】
【技術分野】
【０００１】
本発明は、例えばその一例を挙げると、神社仏閣や古建造物等の建築物の屋根改修工事の際に、屋根面を覆う状態に設けてその中で改修工事を実施できるようにするための仮設構造物に関し、更に詳しくは、時既存屋根の上方に屋根改修作業空間を確保した状態で前記既存屋根を覆う仮設屋根部を設け、前記仮設屋根部の支持スパン両端部を支持する支持部を各別に設けてある屋根改修用仮設構造物に関する。
【背景技術】
【０００２】
従来、この種の屋根改修用仮設構造物としては、下屋根と上屋根とを備えた建築物において上屋根の改修時に適用させた例として、図１０に示すように、上屋根Ｒ２の下方両側方にそれぞれ形成された下屋根Ｒ１上に各別に立設状態に支持部４を設置し、一つのスパンで構成された仮設屋根部３０を、その支持部４の上端部にわたって設置してあるものがあった。尚、支持部４が設置される下屋根部分は、必要に応じて補強工事が実施される。また、下屋根の無い構造の建築物の場合には、当然の事ながら、前記支持部は、建築物側方の地面上に設置される（例えば、特許文献１、特許文献２、特許文献３、特許文献４参照）。
【０００３】
【特許文献１】特開平８−６８２１１号公報（図１）
【特許文献２】特開平７−５４４９４号公報（図１）
【特許文献３】特開平５−１７１８１７号公報（図５）
【特許文献４】特開平２０００−１６０６８９号公報（図１）
【発明の開示】
【発明が解決しようとする課題】
【０００４】
上述した従来の屋根改修用仮設構造物によれば、仮設屋根部は、上屋根を跨ぐ状態の一つのスパンとして形成してあり、長大化して、大掛かりなものになり易い。仮設屋根部材が大掛かりになれば、当然の事ながら、重量も大きくなり、それを支持する支持部も大型化せざるを得なくなる。
従って、クレーン等の揚重設備を用いた設置撤去作業そのものに手間が掛かり、工期が長くなると共に、揚重設備も大型のものを用意する必要があり、材料・施工・設備のすべての費用のコストアップを招き易い問題点がある。
また、大型の揚重設備が設置できない立地環境では、当該屋根改修用仮設構造物の設置作業すら実施できないことも考えられる。
【０００５】
従って、本発明の目的は、上記問題点を解消し、手間を掛けずに設置撤去作業を実施できると共に、全体的なコスト低減を図ることが可能な屋根改修用仮設構造物を提供するところにある。
【課題を解決するための手段】
【０００６】
本発明の第１の特徴構成は、既存屋根の上方に屋根改修作業空間を確保した状態で前記既存屋根を覆う仮設屋根部を設け、前記仮設屋根部の支持スパン両端部を支持する支持部を各別に設けてある屋根改修用仮設構造物において、前記仮設屋根部を支持スパン方向に分割した複数の分割屋根部材で構成し、各分割屋根部材の内の少なくとも一つに、前記既存屋根に当接して荷重を伝達自在な接地部を設けてあるところにある。
【０００７】
本発明の第１の特徴構成によれば、前記仮設屋根部を支持スパン方向に分割した複数の分割屋根部材で構成し、各分割屋根部材の内の少なくとも一つに、前記既存屋根に当接して荷重を伝達自在な接地部を設けてあるから、その接地部で仮設屋根部の重量の一部を既存屋根に負担させることができ、仮設屋根部を応力的に複数スパンとして扱えるようになる。従って、スパンの短い分割屋根部材の複数で仮設屋根部を構成することで、仮設屋根部の設計上の内部応力を小さくでき、仮設屋根部の有効断面を小さくして軽量化を図ることが可能となる。
そして、仮設屋根部を軽量化できれば、それを支持する支持部そのものも有効断面を減らして軽量化を図ることができ、当該屋根改修用仮設構造物全体を軽量化することが可能となる。
その結果、有効断面を小さくすることで、材料コストの低減を図れると共に、軽量化を図れることで設置撤去作業の効率化を図り、且つ、施工に用いる揚重設備は軽微なものを採用することが可能となる。即ち、手間を掛けずに設置撤去作業を実施できる共に、全体的なコスト低減を図ることが可能となる。
【０００８】
本発明の第２の特徴構成は、前記接地部は、前記既存屋根の構造部材上に接地できる配置状態で前記分割屋根部材に設けられているところにある。
【０００９】
本発明の第２の特徴構成によれば、本発明の第１の特徴構成による上述の作用効果を叶えることができるのに加えて、前記接地部には仮設屋根部からの荷重が作用するが、その荷重を既存屋根の構造部材で受け止めることができるので、より安定した状態で仮設屋根部を支持することができる。そして、既存屋根への負担も少なくすることができる。
【００１０】
本発明の第３の特徴構成は、前記接地部は、作業足場を兼用しているところにある。
【００１１】
本発明の第３の特徴構成によれば、本発明の第１又は２の特徴構成による上述の作用効果を叶えることができるのに加えて、屋根改修に用いる作業足場を、接地部で兼用化することで、当該屋根改修用仮設構造物の使用材料をより低減することができ、上述の軽量化による作用効果の実現を、更に推し進めることが可能となる。
【００１２】
本発明の第４の特徴構成は、前記分割屋根部材は、トラス構造であるところにある。
【００１３】
本発明の第４の特徴構成によれば、本発明の第１〜３の何れかの特徴構成による上述の作用効果を叶えることができるのに加えて、前記分割屋根部材をトラス構造で構成してあるから、簡単な構造で強度的に安定した分割屋根部材を形成することができる。そして、強度的に安定している分割屋根部材は取扱性にも優れ、仮設屋根部の組立解体の際に、各分割屋根部材を効率よく連結（又は取り外し）することができ、屋根改修用仮設構造物の組立解体作業の作業効率の向上を図ることが可能となる。
【発明を実施するための最良の形態】
【００１４】
以下に本発明の実施の形態を図面に基づいて説明する。尚、図面において従来例と同一の符号で表示した部分は、同一又は相当の部分を示している。
【００１５】
図１は、本発明の屋根改修用仮設構造物の一実施形態物（以後、単に仮設構造物Ｋと言う）を設置してある状況を示すものである。
【００１６】
屋根改修の対象となる既存建物Ｂは、本実施形態の場合は、寺院を例に挙げて説明する。
前記既存建物Ｂは、幅広の下層部Ｂ１と、下層部Ｂ１より幅狭の上層部Ｂ２とから構成され、夫々に既存屋根Ｒが形成されている。下層部Ｂ１の屋根は、上層部Ｂ２を挟んだ両側に設けてあり、それぞれ下屋根Ｒ１と言う。上層部の屋根は、棟部１を挟んで両側に下り勾配に形成してあり、上屋根Ｒ２と言う。
そして、これら既存屋根Ｒは、例えば銅板等の金属板２で葺いてあり、当該屋根改修工事においては、この金属板２をそれぞれ除去して新しいものと取り替えるものである。
【００１７】
前記仮設構造物Ｋは、前記上屋根Ｒ２の改修工事の間、該当部分を覆い隠して、その内部で改修工事が実施出来るように設置されるもので、家形に形成されている。
前記仮設構造物Ｋの詳細を説明すると、既存屋根Ｒの上方に屋根改修作業空間Ｖを確保した状態で前記既存屋根Ｒを覆う仮設屋根部３を設け、前記仮設屋根部３の支持スパン両端部を支持する支持部４を各別に設けて構成してある。
【００１８】
前記支持部４は、図に示すように、前記下屋根Ｒ１上に立設状態に設けてあり、構成部材は、既製品の金属製足場形成材５で構成されている。
【００１９】
前記仮設屋根部３は、スパン方向の中央部が棟６となる形状に形成してあり、前記支持部４上に取り付けられた状態で、前記上屋根Ｒ２とほぼ同じ傾斜となるように構成してある。そして、仮設屋根部３は、図２に示すように、棟６部分で２つの分割屋根部材３Ａに分割構成されている。即ち、２つの分割屋根部材３Ａは、その上端どうしを、前記棟６に備えた連結部７で連結してあり、下端は、前記支持部４に取り付けてある。
両分割屋根部材３Ａは、傾斜方向、棟方向に設置され互いに交差させた複数のトラス８と、それらトラス８の上面を覆うシート９とによって構成されている。
【００２０】
また、両分割屋根部材３Ａの上端部付近には、棟部１の両側方で上屋根Ｒ２上に接地する接地部１０が一体に設けてある。この接地部１０は、前記支持部４と同様に、金属製足場形成材５で構成してあり、上屋根Ｒ２に当接して分割屋根部材３Ａの荷重を伝達できるように構成されている。
尚、分割屋根部材３Ａに対する前記接地部１０の設置位置の設定は、上屋根Ｒ２上に分割屋根部材３Ａを載置した状態で、図には示さないが、上屋根Ｒ２における構造部材（例えば、桁）が設けられた位置に接地部１０が位置するように設定されている。
上屋根Ｒ２への接地部１０の当接部分の詳細は、図３に示すように、金属板２の上にキャンバー１１を棟方向に沿って間隔をあけて載置し、それらにわたって接地基部となるＨ形鋼１２を載置し、そのＨ形鋼１２上に金属製足場形成材５が設置されている。
【００２１】
前記キャンバー１１は、下面を屋根傾斜面に沿わせた状態で上面が、水平面又はほぼ水平面となる形状に設計してあり、且つ、下面には、金属板２を傷つけないようにするために、発泡スチロール製の緩衝材１１ａが貼着してある。そして、縦面と上面とには、前記Ｈ形鋼１２と当該キャンバー１１とを固定するためのワイヤー１３を取り付けるワイヤー取付部１１ｂが設けてある。このワイヤー１３は、図に示すように、両ワイヤー取付部１１ｂに端部を取り付けると共に、キャンバー１１でＨ形鋼１２を縛る状態に取り付けてある。尚、キャンバー１１接当部分の直下の金属板２を取り替える際には、前記ワイヤー１３を外して、キャンバー１１は、一時的に取り外される。このキャンバー１１の着脱時には、前記金属製足場形成材５のジャッキベース５ａを緩めて荷重がかからない状態にすることで容易に実施することができる。
【００２２】
本実施形態の仮設構造物Ｋの設置手順についてその一例を説明する。
［１］  下屋根Ｒ１上に支持部４をそれぞれ設置する。
［２］  組み立てられた分割屋根部材３Ａを吊り上げて、下端が支持部４上に、接地部１０が上屋根Ｒ２の構造部材上にそれぞれ位置するように載置する。この設置に関しては、予め、分割屋根部材３Ａを完成状態に組み立てておき、一度にその分割屋根部材３Ａを吊り上げる事に限らず、分割屋根部材３Ａを小ブロックに分けて順次吊り上げて、屋根上で連結する方法をとることもできる。
［３］  両分割屋根部材３Ａどうしを連結部７で連結する。
［４］  仮設構造物Ｋの屋根面以外の開口部分にシート９を設ける。
以上の手順で、外部から遮断できる状態の屋根改修作業空間Ｖを形成することができる。
【００２３】
次に、キャンバー１１直下の金属板２の取り替え手順について図４を用いて簡単に説明する。尚、ここでは、この図における左側屋根面上の金属板２の取り替えの手順をについて説明する。
［１］  図４（イ）の準備状態から、図４（ロ）に示すように、下方に配置されているキャンバー１１、及び、接地部１０の一部を取り外す。そして、その直下の金属板２Ａを取り外して、新しいものと取り替える。
［２］  取り替えた金属板２Ａ上に、再度、接地部１０の一部、及び、キャンバー１１を載置して、接地部１０からの荷重が上屋根Ｒ２に伝達できる状態にする。
［３］  図４（ハ）に示すように、上方に配置されているキャンバー１１、及び、接地部１０の一部を取り外す。そして、その直下の金属板２Ｂを取り外して、新しいものと取り替える。
［４］  取り替えた金属板２Ｂ上に、再度、接地部１０の一部、及び、キャンバー１１を載置して、接地部１０からの荷重が上屋根Ｒ２に伝達できる状態にする。
【００２４】
本実施形態の仮設構造物によれば、軽量化された分割屋根部材で構成してあるから、材料コストの低減を図れると共に、設置撤去作業の効率化を図り、且つ、施工に用いる揚重設備は軽微なものを採用することが可能となる。即ち、手間を掛けずに設置撤去作業を実施できる共に、全体的なコスト低減を図ることが可能となる。
【００２５】
〔別実施形態〕
以下に他の実施の形態を説明する。
【００２６】
〈１〉  前記仮設屋根部３は、先の実施形態で説明した二つに分割された分割屋根部材３Ａで構成するものに限るものではなく、例えば、図８に示すように、三つに分割された分割屋根部材３Ａで構成するものや、図９に示すように、五つに分割された分割屋根部材３Ａで構成するもの、若しくは、図には示さないが、それら以外の複数分割された分割屋根部材３Ａで構成するものであってもよい。
また、既存屋根Ｒに当接して仮設屋根部３の荷重を伝達自在な接地部１０は、先の実施形態で説明したように各分割屋根部材３Ａ毎に一つずつ設けることに限らず、全分割屋根部材３Ａを通じて一つ以上設けてあればよい。従って、図５に示すように、例えば、棟部１が盛り上がっていない構造の既存建物Ｂの場合には、棟部１上に接地部１０を一つ設けるものであってもよい。また、図６に示すように、一方の分割屋根部材３Ａにのみ接地部１０を形成してあるものであってもよい。図７は、一つの分割屋根部材３Ａに複数の接地部１０を設けてある例を示している。この場合、分割屋根部材３Ａのスパンを短くできるから、分割屋根部材の有効断面をより小さくできる。図８、図９は、接地部１０を設けた分割屋根部材３Ａと、接地部１０を設けていない分割屋根部材３Ａとの組み合わせの例を示している。このように、既存建物Ｂの形状や、既存屋根Ｒの形状、構造部材の位置等に合わせて、接地部１０の数や位置、仮設屋根部の分割数を適宜決定することができる。
〈２〉  前記分割屋根部材３Ａは、先の実施形態で説明したトラス構造に限るものではなく、例えば、膜構造や、テント構造等を採用することも可能である。
〈３〉  前記既存建物Ｂは、先の実施形態で説明した寺院に限るものではなく、例えば、仏閣、競技場や球場、体育館等、屋根の改修を実施するもの全般を対象とすることができる。
【００２７】
尚、上述のように、図面との対照を便利にするために符号を記したが、該記入により本発明は添付図面の構成に限定されるものではない。
【図面の簡単な説明】
【００２８】
【図１】屋根改修用仮設構造物の設置状況を示す側面視説明図
【図２】接地部の設置状況を示す要部側面視説明図
【図３】既存屋根に対する接地部の当接部分を示す詳細図
【図４】屋根改修の手順を示す説明図
【図５】別実施形態の屋根改修用仮設構造物の設置状況を示す側面視説明図
【図６】別実施形態の屋根改修用仮設構造物の設置状況を示す側面視説明図
【図７】別実施形態の屋根改修用仮設構造物の設置状況を示す側面視説明図
【図８】別実施形態の屋根改修用仮設構造物の設置状況を示す側面視説明図
【図９】別実施形態の屋根改修用仮設構造物の設置状況を示す側面視説明図
【図１０】従来の屋根改修用仮設構造物の設置状況を示す側面視説明図
【符号の説明】
【００２９】
３      仮設屋根部
３Ａ    分割屋根部材
４      支持部
１０    接地部
Ｒ      既存屋根
Ｖ      屋根改修作業空間
【図１】
2005120736.tif 000003
【図２】
2005120736.tif 000004
【図３】
2005120736.tif 000005
【図４】
2005120736.tif 000006
【図５】
2005120736.tif 000007
【図６】
2005120736.tif 000008
【図７】
2005120736.tif 000009
【図８】
2005120736.tif 000010
【図９】
2005120736.tif 000011
【図１０】
2005120736.tif 000012